(57)【要約】【課題】浸水時には、可燃性ガスの着火を阻止し、安全性を高めること、浸水時の着火阻止を簡易に実現することにある。【解決手段】浸水時、着火動作により高電圧を発生させても、浸水により生成される放電回路（８１）を通して放電させ、燃料ガス（Ｇ）の噴射側、その点火手段側での点火を阻止し、燃料ガスの着火を防止する。そのため、点火操作により、高電圧を発生する電圧発生手段（電圧発生部５２）と、電圧発生手段に発生させた高電圧を放電させて可燃性ガスに点火する点火手段（点火部５６）と、電圧発生手段に発生した高電圧を点火手段に印加する印加回路  （５８）と、印加回路に併設され、浸水時、点火手段に対する高電圧の印加を阻止する点火阻止手段（点火阻止部８０）とを備える。【選択図】図３
2010169298.tif 000002
【特許請求の範囲】
【請求項１】
可燃性ガスを燃焼させる燃焼装置であって、
点火操作により、高電圧を発生する電圧発生手段と、
この電圧発生手段に発生させた前記高電圧を放電させて可燃性ガスに点火する点火手段と、
前記電圧発生手段に発生した前記高電圧を前記点火手段に印加する印加回路と、
この印加回路に併設され、浸水時、前記点火手段に対する前記高電圧の印加を阻止し、前記可燃性ガスに対する点火を阻止する点火阻止手段と、
を備えたことを特徴とする燃焼装置。
【請求項２】
前記点火阻止手段は、浸水時、前記高電圧を放電させる放電手段を備え、浸水時の水により前記放電手段により前記高電圧を放電させ、平常時、前記放電手段を解除して放電機能を停止させることを特徴とする請求項１に記載の燃焼装置。
【請求項３】
前記点火阻止手段は、装置本体に設置され、浸水時、該水を流入させて収容させる水収容手段と、前記水収容手段に水が収容されている際に、前記電圧発生手段が発生した高電圧を放電させる放電回路とを備え、浸水時、前記放電回路の放電により、前記点火手段への前記高電圧の印加を阻止することを特徴とする請求項１に記載の燃焼装置。
【請求項４】
前記放電手段は、
前記電圧発生手段に接続された第１の導電部と、
該第１の導電部と絶縁されるとともに、基準電位に維持され、水収容手段に収容された水に接する第２の導電部とを備え、
前記第２の導電部が水に接した際に、前記高電圧が前記第１の導電部と前記第２の導電部との間で放電することを特徴とする請求項２記載の燃焼装置。
【請求項５】
前記水収容手段に前記水を流入させる位置を前記可燃性ガスの着火側より下方の位置に設定したことを特徴とする請求項３記載の燃焼装置。
【請求項６】
可燃性ガスを燃焼させる燃焼装置の着火防止方法であって、
点火操作によって高電圧を発生させ、前記高電圧の放電により可燃性ガスに点火する工程と、
浸水を検知する工程と、
浸水時、該水を溜めて放電回路を生成させ、該放電回路で前記高電圧を放電させることにより点火部による放電を阻止する工程と、
を含むことを特徴とする燃焼装置の着火防止方法。
【発明の詳細な説明】
【技術分野】
【０００１】
本発明は、浴槽に隣接して配置される等、浴室内に設置される風呂釜等の燃焼装置に関し、例えば、浴室の排水の逆流等、冠水（浸水）時の異常着火を防止した燃焼装置及びその着火防止方法に関する。
【背景技術】
【０００２】
燃料ガスの燃焼を熱源とする燃焼装置には、浴槽に隣接して設置される風呂釜が知られている。この風呂釜には所謂バランス式風呂釜やＣＦ釜がある。このような風呂釜は、給水元栓から供給された上水を燃焼熱で加熱し、上がり湯パイプやシャワーヘッドから給湯する給湯機能や、浴槽内から取り出した湯水を燃焼熱で加熱して浴槽に戻す所謂浴槽水の追焚機能を備えている。
【０００３】
このような風呂釜を設置した浴室からの排水は、シャワーや上がり湯パイプから供給された湯水の他、浴槽からの湯水であり、これらは風呂釜の近傍にある排水口を通して外部に排水されるのが一般的である。この排水には、セッケン水、シャンプー、毛髪、湯垢等が含まれる。このような夾雑物により、排水口の排水機能が低下すると、排水量によっては風呂釜が水没し、筐体内部が浸水することが予想される。
【０００４】
排水機能が低下しても、排水が継続的に行われていれば、係る冠水は時間とともに解消するものの、水没していたパイロットバーナや給湯（ふろ) バーナの炎口には、排水による水膜が残留し、その水膜が乾燥するまで、ガス噴出が阻害されるという不都合がある。
【０００５】
このような冠水時の着火防止に関し、メインバーナの一次空気吸込部をパイロットバーナの一次空気吸込部よりも高い位置にし、冠水時には、パイロットバーナの点火を防止することが知られている（特許文献１）。
【０００６】
また、風呂釜の浸水に際し、例えば、燃焼部の炎口と点火手段との間に両者を遮るように水膜を形成し、燃焼部の着火を阻止することが知られている（特許文献２）。
【０００７】
また、点火阻止に関し、パイロットバーナを点火する高電圧発生回路にコンデンサの充電を阻止する電極が設けられ、この電極が浸水によって短絡した際に、コンデンサの充電を阻止し、点火を防止することが知られている（特許文献３）。
【先行技術文献】
【特許文献】
【０００８】
【特許文献１】実開昭４９−１４４５３６号公報
【特許文献２】特開２００３−１３０３１４号公報
【特許文献３】実開昭６３−１５４９４３号公報
【発明の概要】
【発明が解決しようとする課題】
【０００９】
このように、風呂釜が浸水した際に点火を阻止する対策が講じられてきたが、パイロットバーナがメインバーナよりも低い位置にあっても（特許文献１）、点火動作を行なえば、パイロットバーナ側のノズルからガス放出があり、筐体内に充満したガスが点火する可能性がある。
【００１０】
燃焼部の炎口と点火手段との間の水膜による着火阻止（特許文献２）や、コンデンサの充電阻止（特許文献３）等では回路や装置が複雑化し、コスト高も無視できないという課題がある。
【００１１】
また、このような燃焼装置に関し、着火不良を生じた場合、その発生原因が冠水によるものかそれ以外のものかを特定することが必要となる場合がある。冠水が発生しても、排水が順調に進み、時間経過によって乾燥した場合にはその痕跡が全くないという事態が予想される。そのため、その原因が冠水によるものかそれ以外のものかを特定できないという課題もある。
【００１２】
そこで、本発明の第１の目的は、浸水時には、可燃性ガスの着火を阻止し、安全性を高めることにある。
【００１３】
また、本発明の第２の目的は、浸水時の着火阻止を簡易に実現することにある。
【００１４】
また、本発明の第３の目的は、着火不良の原因究明の際に、浸水かそれ以外の原因かの特定を迅速化し、容易化することにある。
【課題を解決するための手段】
【００１５】
本発明の燃焼装置又はその着火防止方法は、浸水時、着火動作により高電圧を発生させても、浸水により生成される放電回路を通して放電させ、燃料ガス等の可燃性ガスの噴射側、その点火手段側での点火を阻止し、可燃性ガスの着火を防止する。
【００１６】
そこで、上記第１及び第２の目的を達成するため、本発明の燃焼装置は、可燃性ガスを燃焼させる燃焼装置であって、電圧発生手段と、点火手段と、印加回路と、点火阻止手段とを備える。前記電圧発生手段は、点火操作により、高電圧を発生する手段である。前記点火手段は、前記電圧発生手段に発生させた前記高電圧を放電させて可燃性ガスに点火する手段である。前記印加回路は、前記電圧発生手段に発生した前記高電圧を前記点火手段に印加する手段である。前記点火阻止手段は、前記印加回路に併設され、浸水時、前記点火手段に対する前記高電圧の印加を阻止する手段である。これにより、浸水時、前記可燃性ガスに対する点火が阻止される。
【００１７】
また、第３の目的を達成するため、本発明の燃焼装置において、前記点火防止手段に浸水時に、その水を収容する水収容手段を備える構成としてもよい。斯かる構成とすれば、浸水した水を収容する水収容手段を備えれば、着火不良の原因究明の際に、浸水かそれ以外の原因かの特定を迅速化し、容易化することができる。
【００１８】
また、本発明の燃焼装置の着火防止方法は、可燃性ガスを燃焼させる燃焼装置の着火防止方法であって、点火工程、浸水検出工程、放電阻止工程を含む。点火工程では、点火操作によって高電圧を発生させ、前記高電圧の放電により可燃性ガスに点火する。また、浸水検知工程では、浸水を検出する。そこで、放電阻止工程は、浸水時、該水を溜めて放電回路を生成させ、該放電回路で前記高電圧を放電させる。この結果、前記可燃性ガス側での放電が阻止される。
【発明の効果】
【００１９】
本発明によれば、次のような効果が得られる。
【００２０】
(1) 浸水時、着火動作を行っても、燃料ガス側での高電圧の放電が阻止されて点火を阻止することができるので、異常燃焼を防止でき、安全性が高められる。
【００２１】
(2) 水収容手段を設けた構成とすれば、浸水時、水収容手段に水を貯留でき、乾燥が進んでも、その浸水の痕跡を残すことができ、着火不良が浸水かそれ以外の原因かを迅速かつ容易に特定でき、保守や修理の迅速化を図ることができる。
【図面の簡単な説明】
【００２２】
【図１】第１の実施の形態に係る風呂釜を示す斜視図である。
【図２】操作パネルの構成例を示す図である。
【図３】風呂釜の燃焼系統及び給湯系統の構成例を示す図である。
【図４】可燃性ガスの点火系統を示す図である。
【図５】印加回路及び放電回路を示す図である。
【図６】点火阻止部の構成例を示す図である。
【図７】図６のVII −VII 線断面を示す図である。
【図８】図６のVIII−VIII線断面を示す図である。
【図９】図８のIX−IX線断面を示す図である。
【図１０】点火阻止部の設置部を示す図である。
【図１１】点火阻止部の動作状態を示す図である。
【図１２】点火及びその阻止動作の手順を示すフローチャートである。
【図１３】第２の実施の形態に係る点火阻止部を示す図である。
【図１４】第３の実施の形態に係る点火阻止部を示す図である。
【発明を実施するための形態】
【００２３】
〔第１の実施の形態〕
【００２４】
第１の実施の形態は、本発明の燃焼装置及びその着火防止方法を燃料ガスを燃焼させて上水や浴槽水を加熱する風呂釜に適用したものである。
【００２５】
この第１の実施の形態について、図１を参照して説明する。図１は、第１の実施の形態に係る風呂釜を示す図である。図１に示す構成は一例であって、斯かる構成に本発明が限定されるものではない。
【００２６】
風呂釜２は、可燃性ガスを燃焼させる燃焼装置の一例であって、可燃性ガスを燃焼させて上水又は浴槽水を追焚きし、上水や浴槽水を加熱する手段であり、この実施の形態ではバランス式ガス風呂釜を例示している。
【００２７】
風呂釜２は、図示しない浴室において、浴槽と浴室の壁部との間に配置され、浴槽とともに浴室に設置される。浴槽は、加熱すべき水や加熱した水を収容する容器の一例である。この風呂釜２の筐体４の側面部には、浴槽と所定のパイプ等を用いて接続される下側循環パイプ接続部６と、上側循環パイプ接続部８とが設けられている。筐体４は金属板等の剛性材料で形成され、ある程度の浴槽水やシャワー水が冠水しても、内部に浸透しないような防水加工が施されているが、排水中に水没する場合等、継続的に浸水状態となる場合には筐体４内への水の侵入が避けられない。下側循環パイプ接続部６及び上側循環パイプ接続部８を通して接続された図示しない循環パイプにより浴槽が連結される。
【００２８】
浴槽に収容された浴槽水は、図示していない所定のパイプを介して下側循環パイプ接続部６から筐体４内に流入させ、筐体４内で加熱させた後、上側循環パイプ接続部８から循環パイプを介して浴槽に戻される。これにより、所謂追い焚きが行われ、浴槽水を加熱することができる。
【００２９】
筐体４の前面部には、加熱すべき水を取り込むため、上水等が取水される取水部１０が設けられ、上水等の水を筐体４内に取り入れることができる。取水部１０から取水した水は筐体４内を通過して加熱され、該加熱された湯は、上がり湯パイプ１２又はシャワーホース１４を介して外部に給湯（出湯）できる。
【００３０】
上がり湯パイプ１２から給湯される湯は、例えば、浴槽内に溜め置きするために使用しても良いし、また、シャワーホース１４から給湯される湯は、先端部に取り付けられたシャワーヘッド１６から噴水させて湯浴びするために使用しても良い。シャワーヘッド１６は、操作パネル１８に設けられたシャワーヘッドホルダ２０に支持させるようにしても良い。
【００３１】
風呂釜２には、例えば、夏季又は冬季等における気温差を考慮して、燃焼機能の能力を切り替えるための操作手段として切替つまみ２２や、取水部１０から取水した水を点検時等にドレン口２４から排水するための操作手段として水抜き栓２６が設けられている。
【００３２】
操作パネル１８について、図２を参照して説明する。図２は、操作パネルの構成を示す図である。図２に示す構成は一例であって、斯かる構成に本発明が限定されるものではない。図２において、図１と同一部分には同一符号を付してある。
【００３３】
この操作パネル１８は、風呂釜２に設けられる操作手段の一例であって、この操作パネル１８には、例えば、風呂釜２に備えられた燃焼機能を動作させるための点火つまみ２８、燃焼状態を調整して給湯温度を調節するための温度調節つまみ３０、給湯手段を給湯又はシャワーに切り替える給湯／シャワー切替つまみ３２等が設けられている。
【００３４】
点火つまみ２８は、図２に示すように、「消火」、「口火」、「給湯・シャワー」又は「追いだき」の何れかを選択でき、これら何れかが選択されると、該選択された状態で風呂釜２が動作される。この場合、「消火」とは、風呂釜２における燃焼機能を停止した状態である。また、風呂釜２が燃焼の動作を行う「口火」、「給湯・シャワー」又は「追いだき」の何れかを選択している場合に、燃焼動作を確認するための点火確認窓３４が設けられている。
【００３５】
次に、風呂釜２の機能部について、図３、図４及び図５を参照して説明する。図３は、風呂釜の燃焼系統及び給湯系統の構成例、図４は、可燃性ガスの点火系統、図５は、点火系統を示す図である。図３、図４及び図５に示す構成は一例であって、斯かる構成に本発明が限定されるものではない。図３、図４及び図５において、図１又は図２と同一部分には同一符号を付してある。
【００３６】
風呂釜２の筐体４には、都市ガス等の可燃性ガス（以下、燃料ガスＧと称する）が供給されるガス供給口３６が設けられている。操作パネル１８の点火つまみ２８を回して、「口火」、「給湯・シャワー」又は「追いだき」の何れかの位置にセットすると、ガス器具栓３８に設けられた電磁弁４０が動作してガス器具栓３８が開状態になり、ガス供給口３６を介して燃料ガスＧが各経路に供給可能な状態になる。
【００３７】
ガス器具栓３８には、パイロットバーナ４２がパイロットバーナガス路４４により接続されるとともに、メインバーナ４６がメインバーナガス路４８によりそれぞれが独立して接続されている。パイロットバーナガス路４４は、パイロットバーナ４２に燃料ガスＧを供給するため手段であり、メインバーナガス路４８は、メインバーナ４６に燃料ガスＧを供給するための手段である。即ち、ガス器具栓３８は、パイロットバーナ４２及び／又はメインバーナ４６に対する燃料ガスＧの供給を切り替える手段である。また、このガス器具栓３８には、空気抜き手段としてエア抜きパイプ４９が接続され、空気抜きが施されている。
【００３８】
メインバーナ４６は燃料ガスＧの燃料燃焼手段であって、この実施の形態では、給湯側と浴槽水追焚きの双方のバーナを含んでおり、即ち、給湯バーナ４６ａ（給湯・シャワー）と、風呂バーナ４６ｂ（浴槽湯の追い焚き）とが含まれる。これに対応し、メインバーナガス路４８には、給湯バーナ４６ａに燃料ガスＧを供給するための給湯バーナガス路４８ａと、風呂バーナ４６ｂに燃料ガスＧを供給するための風呂バーナガス路４８ｂとが含まれる。燃焼装置としては何れか一方のバーナをメインバーナとしてもよい。また、パイロットバーナ４２又はメインバーナ４６により、燃料ガスＧの着火部とともに燃焼部が構成される。
【００３９】
点火つまみ２８を押した状態を維持したまま回転させて（押し回し）「口火」の位置にセット、即ち、点火操作した場合について説明すると、点火つまみ２８の操作に連動してガス器具栓３８の電磁弁４０が動作して開状態になり、パイロットバーナガス路４４に燃料ガスＧが供給される。
【００４０】
パイロットバーナ４２には、パイロットノズル５０が設けられており、パイロットバーナガス路４４に供給された燃料ガスＧがパイロットノズル５０を介してパイロットバーナ４２から放出される。
【００４１】
点火つまみ２８の点火操作に基づき、高電圧を発生する電圧発生部５２が備えられている。この電圧発生部５２は、高電圧発生手段の一例であって、放電により燃料ガスＧに着火するための高電圧を発生させる。この電圧発生部５２に発生した高電圧は高圧コード等からなる導線５４を介して点火プラグ等の点火部５６に印加される。点火部５６は、点火手段の一例であって、高電圧を放電させて火花を発生させ、燃料ガスＧに点火する。電圧発生部５２には、高電圧を発生させる機能を有する手段として例えば、圧電点火器等を用いてもよい。
【００４２】
電圧発生部５２と点火部５６との間には印加回路５８（図５）が設けられている。この印加回路５８は、配線手段の一例であって、電圧発生部５２で発生させた高電圧を点火部５６に供給し又は印加する導線５４で構成される回路である。
【００４３】
パイロットバーナ４２から放出される燃料ガスＧが燃焼状態になると、パイロットバーナ４２における燃焼状態をサーモカップル６０が検知して、操作パネル１８に設けられた点火確認窓３４に表示される。これは、例えば、全て赤色に変えて表示し、斯かる表示によりパイロットバーナ４２が燃焼状態であることを視認することができる。
【００４４】
パイロットバーナ４２が燃焼状態であれば、ガス器具栓３８の電磁弁４０が開状態に維持され、パイロットバーナ４２の燃焼状態が維持される（口火状態）。このような燃焼状態は、点火つまみ２８が押し戻され、印加回路５８の高電圧発生による点火操作を終了しても継続される。
【００４５】
点火動作は、点火つまみ２８を押し回しによって開始され、点火つまみ２８が押し戻された状態で完了する。この一連の動作により、印加回路５８から高電圧が点火部５６に加えられ、その放電が行われる。印加回路５８で高電圧の発生により、点火動作が終了すれば、点火部５６の高電圧放電も停止する。
【００４６】
この実施の形態では、点火つまみ２８が押し戻された状態で回転させ、「給湯・シャワー」の位置にセットすると、給湯又はシャワーの使用となる。この状態で、給湯／シャワー切替つまみ３２を回転させ、例えば、「給湯」の位置にセットすると上がり湯パイプ１２（給湯）から給湯され、また、「シャワー」の位置にセットすればシャワーヘッド１６（シャワー）から給湯される。
【００４７】
このように点火つまみ２８を「給湯・シャワー」の位置にセットした状態では、取水部１０を介して上水Ｗが筐体４内に配置された水管６２に流入する。水管６２を流れる水量が所定量以上になると、ダイヤフラム弁６４が動作してガス弁６６が開状態になり、給湯バーナガス路４８ａに燃料ガスＧが供給される。
【００４８】
この燃料ガスＧは、給湯バーナガス路４８ａから給湯ノズル６８ａより給湯バーナ４６ａに噴射される。このとき、パイロットバーナ４２が口火状態であれば、その炎が燃料ガスＧに火移りし、給湯バーナ４６ａで燃料ガスＧが燃焼する。
【００４９】
この燃焼熱は、水管６２から熱交換部７０に流れる水に熱交換され、加熱された水（湯）が上がり湯パイプ１２又はシャワーヘッド１６から給湯される。熱交換部７０は、上水に燃料ガスＧの燃焼熱を熱交換し、上水を加熱する手段の一例である。
【００５０】
点火つまみ２８を更に回転させて「追いだき」の位置にセットすると、ガス器具栓３８における風呂バーナガス路４８ｂ側が開状態になり、風呂ノズル６８ｂを介して風呂バーナ４６ｂから燃料ガスＧが放出され、既述の給湯バーナ４６ａの着火工程と同様に、パイロットバーナ４２の炎が風呂バーナ４６ｂから放出される燃料ガスＧに火移りして、風呂バーナ４６ｂが燃焼状態になる。なお、給湯ノズル６８ａと風呂ノズル６８ｂとをメインノズル６８と称する。
【００５１】
風呂バーナ４６ｂの燃焼によって加熱される風呂熱交換部７４は、図示していない浴槽と下側循環パイプ接続部６及び上側循環パイプ接続部８を介して接続されており、下側循環パイプ接続部６から風呂熱交換部７４内に流入した湯は、風呂バーナ４６ｂの燃焼によって加熱され、この加熱された湯を上側循環パイプ接続部８を介して浴槽に戻すことによって、浴槽内の湯を追い焚きできる。
【００５２】
そして、点火つまみ２８を回転させて「消火」の位置にセットすると、パイロットバーナ４２及びメインバーナ４６への燃料ガスＧの供給が停止する。即ち、ガス器具栓３８がパイロットバーナガス路４４と、メインバーナガス路４８の各経路を閉状態にして燃料ガスＧの供給を停止する。
【００５３】
印加回路５８には、バイパスする状態で接続、即ち、併設される点火阻止部８０が設けられている。点火阻止部８０は、浸水時の浸水により、点火を阻止する点火阻止手段の一例であって、例えば、導線５４の一部等の点火部５６と電圧発生部５２との間に併設されていれば良い。点火阻止部８０は、印加回路５８に印加される高電圧を共有し、点火阻止部８０が動作しない状態の場合には、高電圧が印加回路５８に印加され、また、点火阻止部８０が動作する状態の場合には、高電圧が点火阻止部８０に印加されて放電される状態となる。
【００５４】
点火阻止部８０は例えば、後述する第１の導電部９４ａと第２の導電部９４ｂとからなる回路接続部９４（図５）が水９０を介して接続され、印加回路５８に印加される高電圧を導電部９４ａと導電部９４ｂとの間で放電させて、点火部５６に対する高電圧の印加を阻止する。回路接続部９４は、燃料ガスＧへの点火を阻止するため、高電圧を放電させる放電手段の一例である。また、高電圧を放電させるための放電回路８１は、放電手段としての回路接続部９４と、水９０と、アース線１０２とを含んで構成され、印加回路５８に印加される高電圧を放電させる。この放電回路８１は、浸水時の水９０を含んで生成される回路であって、水９０の存在で閉回路が構成される。
【００５５】
次に、点火阻止部８０について、図６、図７、図８及び図９を参照する。図６は、点火阻止部の構成例、図７は、図６のVII −VII 線断面、図８は、図６のVIII−VIII線断面、図９は、図８のIX−IX線断面を示す図である。図６、図７、図８及び図９に示す構成は一例であって、斯かる構成に本発明が限定されるものではない。図６、図７、図８及び図９において、図１〜図５と同一部分には同一符号を付してある。
【００５６】
点火阻止部８０には水収容部８２が設けられており、この水収容部８２は、浸水時、その水９０を収容することにより、点火阻止部８０の放電回路８１を生成させる手段であるとともに、浸水の痕跡を残留水等で生成させる手段の一例である。
【００５７】
水収容部８２は例えば、合成樹脂等の絶縁物を用いて形成されている。この水収容部８２は、本体部８４と、蓋部８６とを備えている。
【００５８】
本体部８４と、蓋部８６との嵌合部には、図８に示すように、導線５４に対応した本体部８４側にある凹部８４ａと、蓋部８６側にある凹部８６ａとが備えられ、凹部８４ａに導線５４を配置した状態で凹部８６ａの位置を合わせて蓋部８６を嵌合させ、導線５４が所定の位置に強固に固定されて配置される。
【００５９】
本体部８４の側面部には水流入口８８が設けられており、水収容部８２の周囲に且つ水流入口８８よりも高い位置に水９０が存在する場合、水９０は水流入口８８を介して水収容部８２内に流入する。
【００６０】
この際、水収容部８２には蓋部８６があるため、水収容部８２の上部側から水や埃等が入ることがなく、放電部分の汚損を回避できる。なお、水収容部８２は、水流入口８８に代え、また、水流入口８８とともに、本体部８４内に水がしみ込む等により侵入する構造であってもよいし、例えば、蓋部８６に代え、水収容部８２の上部側から水が流入する構成であってもよい。
【００６１】
本体部８４には、水流入口８８から流入した水９０を収容させる収容部９２が形成されている。この収容部９２は、水流入口８８よりも低い位置に設けられている。
【００６２】
本体部８４には、例えば、ステンレス等の導電体からなり針状の導電部９４ａが配置されており、この導電部９４ａは導線５４内の芯線５４ａと電気的に接続する状態で設けられている。この導電部９４ａは、導線５４に供給される電圧・電流を取り出す高電圧の導電手段を構成している。
【００６３】
導電部９４ａは、本体部８４内に形成された支持部９６によって支持・固定されている。支持部９６は、図９に示すように、本体部８４内の空間９８側にコ字状に開いた溝部１００に配置されている。この溝部１００の下部側は、収容部９２が形成されている本体部８４内の底部に達しており、例えば、本体部８４内の空間９８に水９０が存在する場合、溝部１００内に水９０が入り込んで導電部９４ａと接触する。即ち、放電回路８１がこれにより構成ないし生成される。
【００６４】
また、本体部８４内には、導電部９４ａと対になる導電部９４ｂが導電部９４ａと所定の間隙をもって設けられている。これら導電部９４ａと導電部９４ｂとが、放電回路８１における回路の接続端子の働きをし、導電部９４ａと導電部９４ｂとを接続するための補助的な接続部材として水９０が作用し、導電部９４ａと水９０と導電部９４ｂとアース線１０２とによって放電回路８１が形成される。
【００６５】
導電部９４ｂは、例えば、図７に示すように、一端部側は本体部８４の側面から外部に引き出され、他端部側は本体部８４内の収容部９２が形成されている底部側に配置されている。
【００６６】
本体部８４の外部に引き出された導電部９４ｂの端部側には、例えば、筐体４等と電気的に接続されるアース線１０２が接続され、導電部９４ｂを接地し、接地電位に維持する。この実施の形態では、接地電位に導電部９４ｂを維持しているが、接地することなく、他の基準電位に設定してもよい。この基準電位は、高電圧より低い電位であればよい。
【００６７】
次に、点火阻止系統について、図１０及び図１１を参照して説明する。図１０は、点火阻止部の設置部、図１１は、点火阻止部の動作状態を示す図である。図１０及び図１１に示す構成は一例であって、斯かる構成に本発明が限定されるものではない。図１０及び図１１において、図１〜図９と同一部分には同一符号を付してある。
【００６８】
点火阻止部８０は、燃料ガスＧの着火側より低い位置例えば図１０に示すように、パイロットバーナ４２から放出される燃料ガスＧに高電圧を印加して点火させるための点火部５６よりも低い位置に設置され、筐体４のより底部側に配置されている。
【００６９】
水収容部８２に形成される水流入口８８は例えば図１１に示すように、点火部５６、メインノズル６８、メインバーナ４６よりも低い位置に配置されている。また、水９０の収容部９２には、導電部９４ａと導電部９４ｂとを含む放電回路８１が点火部５６よりも低い位置に配置されている。
【００７０】
既述したように、筐体４は、パッキン等を配置することで密閉構造になっているが、例えば、図示していない浴室内の排水口が詰まる等の不具合が発生し、水（排水）嵩が増して筐体４外部が長時間浸水状態に晒された場合には、水９０が筐体４内に流入し、筐体４内の底部側が浸水することがある。
【００７１】
筐体４が浸水すると、水９０の水位が図１１に示す仮想線水位ＬＷに達すると、水収容部８２が浸水する。この浸水状態は、点火部５６、メインノズル６８又はメインバーナ４６の浸水前に発生する。ここで、仮想線水位ＬＷは、水収容部８２を浸水させる水位に設定されている。このため、浸水による点火動作異常の発生前に、水収容部８２が浸水することになる。仮想線水位ＬＷの高さは、異常の発生直前の水位であればよく、あまりに低い水位に設定してしまうと、点火動作に異常が生じない水位であっても、点火動作を行えなくなるという不都合が生じるので、浸水による点火動作異常の発生前に水収容部８２が浸水する程度の水位に設定されることが望ましい。
【００７２】
そこで、点火部５６よりも下方に設けられた水流入口８８から、水９０が水収容部８２内に流入して収容部９２に収容された場合、その水位が所定位置に到達すると、導電部９４ａと導電部９４ｂとのそれぞれに水９０が接触し、放電回路８１が閉回路状態に移行する。即ち、放電回路８１の生成である。
【００７３】
この際、導電部９４ａを支持・固定している支持部９６には、溝部１００（図９）が形成されているので、水９０が僅かな量であっても、導電部９４ａと導電部９４ｂとは水９０に接触することになる。
【００７４】
水道水等には塩素等の複数の元素が含有され、排水である水９０には夾雑物も混入しているので、水９０は回路接続部９４を生成させるに必要な導電性を有している。そのため、導電部９４ａと導電部９４ｂとが共に水９０に接触すると、水９０の存在によって、導電部９４ａと導電部９４ｂとが電気的に接続される。
【００７５】
導電部９４ａと導電部９４ｂとは所定の間隙をもって設けられており、筐体４の浸水前の平常時には電気的に回路として接続されておらず、開状態であった回路接続部９４の導電部９４ａと導電部９４ｂとが、筐体４が浸水した際には、水収容部８２内に流入した水９０を介して電気的に回路として接続されて通電状態になる、即ち、閉状態の回路として機能する。
【００７６】
導電部９４ａは、導線５４内の芯線５４ａと電気的に接続されているので、電圧発生部５２に発生した高電圧は、導電部９４ａと水９０と導電部９４ｂとアース線１０２とからなる放電回路８１を介して放電される。このとき、点火部５６が接地電位になり、点火部５６での放電が阻止される。
【００７７】
平常時、回路接続部９４は開状態であるから、電圧発生部５２が発生した高電圧は、導線５４を介して点火部５６に印加される。また、筐体４の浸水時には、導電部９４ａと導電部９４ｂとの間に水９０が介在し、放電回路８１が閉状態即ち、放電回路８１が水９０を媒介として生成される。このため、高電圧は、放電回路８１（図７）を介してバイパスされて放電される。放電回路８１を含む点火阻止部８０は、点火部５６に対する電圧印加を阻止する。
【００７８】
点火阻止部８０の放電回路８１は、筐体４内において燃料ガスＧの着火側より下方に設置されているので、点火部５６の浸水前に浸水状態を呈する。そのため、放電回路８１が浸水した時点で点火部５６に対する電圧発生部５２の高電圧の印加が阻止される。利用者が点火つまみ２８を繰り返し操作しても、燃料ガスＧに着火することはなく、安全性が高められる。
【００７９】
また、水収容部８２には、収容部９２を形成してあることから、例えば、排水口からの排水に伴って筐体４内の浸水が解消されたとしても、収容部９２内に収容された水９０が残存するため、点火部５６に対する高電圧印加の阻止は、点火阻止部８０によって継続され、点火部５６から燃料ガスＧに点火されることはない。
【００８０】
そのため、浸水が解消した場合であっても、収容部９２内に浸水時の水９０が残存していることから、浸水後の点検時において、筐体４内に浸水が発生したということを容易に確認することができ、補修作業の容易化、迅速化を図ることができる。
【００８１】
なお、点火阻止部８０は、印加回路５８に併設され、浸水時に点火部５６に対する高電圧の印加を阻止して燃料ガスＧに対する点火を阻止できれば良いから、放電回路８１等により高電圧を放電できれば良く、水収容部８２を省略しても良い。
【００８２】
次に、点火阻止動作について、図１２を参照して説明する。図１２は、点火及びその阻止動作の手順を示すフローチャートである。図１２に示す構成は一例であって、斯かる構成に本発明が限定されるものではない。
【００８３】
この動作手順は、着火防止方法の一例であって、この動作手順には、点火工程、浸水検知工程、放電阻止工程が含まれる。即ち、点火工程では、点火操作によって高電圧を発生させ、前記高電圧の放電により燃料ガスＧに点火し、浸水検知工程では、浸水を検知する。そして、放電阻止工程は、浸水時、該水を溜めて放電回路を生成させ、該放電回路で前記高電圧を放電させ、この結果、燃料ガスＧ側での放電が阻止される。
【００８４】
そこで、この動作手順では、図１２に示すように、風呂釜２を使用する際、使用前及び使用時において筐体４内に浸水がない場合（ステップＳ１のＮＯ）には、点火つまみ２８を押し回して「口火」の位置にセットし、点火操作を行い（ステップＳ２）、高電圧を発生させ、点火部５６から前記高電圧を放電してパイロットバーナ４２から放出される燃料ガスＧに点火し（ステップＳ３）、風呂釜２を通常に使用することができる。
【００８５】
使用前及び使用時において筐体４内が浸水している場合（ステップＳ１のＹＥＳ）には、水流入口８８を介して水収容部８２内に水９０が流入し（ステップＳ４）、収容部９２に水９０が収容されることで筐体４内が浸水したことが検知される（ステップＳ５）。
【００８６】
収容部９２に所要量以上の水９０が溜められると、放電回路８１が生成される（ステップＳ６）。即ち、水９０を介在して導電部９４ａと導電部９４ｂとが電気的に接続されて回路接続部９４が生成される。
【００８７】
印加回路５８に印加される高電圧が放電回路８１で放電される（ステップＳ７）。点火部５６に高電圧が印加されないため、燃料ガスＧに対する点火部５６による点火が点火阻止部８０により阻止される（ステップＳ８）。
【００８８】
この点火部５６による放電が阻止された状態では、点火つまみ２８を押し回して点火操作を行った（ステップＳ９）としても、点火部５６に対する高電圧の印加は点火阻止部８０により阻止されているため、点火部５６には高電圧が印加されず、燃料ガスＧに対する着火はない（ステップＳ１０）ため、風呂釜２の燃焼機能を使用することはできない。
【００８９】
筐体４内の浸水が解消されない場合（ステップＳ１１のＮＯ）、燃料ガスＧに対する点火部５６による点火の阻止が点火阻止部８０によって維持され（ステップＳ１２）、風呂釜２の燃焼機能を使用することはできない。
【００９０】
筐体４内の浸水が解消された場合（ステップＳ１１のＹＥＳ）、水収容部８２の収容部９２に水９０が収容されているため、燃料ガスＧに対する点火部５６による点火の阻止が点火阻止部８０によって維持され（ステップＳ１３）、風呂釜２の燃焼機能を使用することはできない。点検・修理時に、水収容部８２を確認することによって、風呂釜２の燃焼機能を使用できない原因が、浸水によるものか否かを容易に判断できる。
【００９１】
以上説明したように、第１の実施の形態によれば、次のような効果が得られる。
【００９２】
(1) 風呂釜２が浸水状態になった場合には、使用者がそれに気づかず又はそれを無視して点火動作を実行しても、点火部５６で高電圧を放電させることがなく、燃料ガスＧの着火が阻止されるので、異常着火や異常燃焼といった不都合を回避でき、燃焼装置の安全性が高められる。
【００９３】
(2) 浸水状態が解消されても、水収容部８２に水９０が残量していれば、点火部５６への高電圧の供給が阻止され、安全性を維持、継続することができる。
【００９４】
(3) 一旦、浸水状態が発生し、水収容部８２に水９０が侵入すれば、その水９０を以て浸水による異常を特定でき、また、乾燥により水９０が消失しても、浸水の痕跡をしみ等が生じ、それを視認できる。その結果、着火不良の原因が、浸水かそれ以外かを容易且つ迅速に特定できる等、保守や修理の迅速化に寄与する。
【００９５】
(4) 浸水時の着火阻止を簡易に実現できる。
【００９６】
〔第２の実施の形態〕
【００９７】
次に、第２の実施の形態について、図１３を参照して説明する。図１３は、第２の実施の形態に係る点火阻止部を示す図である。図１３に示す構成は一例であって、斯かる構成に本発明が限定されるものではない。図１３において、図７と同一部分には同一符号を付してある。
【００９８】
水収容部１２２は、本体部１２４と、蓋部１２６とから構成されており、本体部１２４と、蓋部１２６との間には、導線５４が配置されている。本体部１２４の側面部には、開口部である水流入口１２８が形成されており、水流入口１２８を介して本体部１２４内に水１３０が流入される。
【００９９】
本体部１２４内の底部には、水流入口１２８から流入した水１３０を収容しておく収容部１３２が形成されている。また、水収容部１２２内における導線５４には、導線５４と電気的に接続する第１の導電部１３４ａが設けられている。導電部１３４ａは、図１３に示すように、芯線の周囲が被覆されている。
【０１００】
本体部１２４内には、連結部材１３６ａによって中空に支持された支持部１３６が設けられている。支持部１３６は、合成樹脂等で形成されている。支持部１３６内には、導電部１３４ａが挿通される挿通部１４０が形成されている。挿通部１４０の下部側には、第２の導電部１３４ｂが配置されており、導電部１３４ｂには、第１の実施の形態で述べたように、アース線が接続され、接地された状態になっている。
【０１０１】
筐体４が浸水した際に、水流入口１２８から水１３０が流入し、収容部１３２に水流入口１２８まで収容されると、その水１３０を介して導電部１３４ａと導電部１３４ｂとからなる放電回路１３４が電気的に接続されて通電され、電圧発生部５２から点火部５６に供給される高電圧をバイパスさせて放電できるようになる。
【０１０２】
このように、印加回路５８に印加される高電圧を導電部１３４ａと水１３０と導電部１３４ｂとからなる放電回路１３４を含む点火阻止部１４２により放電させることによって、点火部５６に対する高電圧の印加を阻止できる。この場合、浸水発生後、水１３０が自然蒸発等により、水位が低下すれば、浸水の痕跡を残しつつ、通常使用が可能となる。
【０１０３】
以上説明したように、第２の実施の形態によれば、前記第１の実施の形態の効果に加え、導電部１３４ａにおける芯線は支持部１３６に形成された挿通部１４０内に収容された状態であり、挿通部１４０外では被覆されているため、導電部１３４ａの芯線の露出を少なくすることができる。
【０１０４】
〔第３の実施の形態〕
【０１０５】
次に、第３の実施の形態について、図１４を参照して説明する。図１４は、第３の実施の形態に係る点火阻止部を示す図である。図１４に示す構成は一例であって、斯かる構成に本発明が限定されるものではない。図１４において、図７と同一部分には同一符号を付してある。
【０１０６】
筐体１５２は金属を用いて形成されており、その底部側には筐体凹部１５４が形成されている。筐体凹部１５４には、連結部材１５６ａよって中空に支持された導線支持部１５６が設けられている。導線支持部１５６は、合成樹脂等で形成されている。
【０１０７】
導線支持部１５６の上部側には、導線５４に対応した凹部が形成されており、該凹部の下部側には挿通部１５６ｂが形成されている。導線支持部１５６の上部には、合成樹脂等で形成された蓋部材１５８が配置されており、導線支持部１５６と蓋部材１５８とで導線５４を支持している。蓋部材１５８の上部側は、筐体１５２の底部より上方に位置している。
【０１０８】
挿通部１５６ｂには、導線５４と電気的に接続する導電部１６０ａが設けられている。導電部１６０ａは、図示していないが、挿通部１５６ｂ内で支持・固定されている。
【０１０９】
筐体１５２が浸水した際に、筐体凹部１５４に水１６２が流入し、その水１６２が導電部１６０ａの高さまで溜められると、導電部１６０ａと筐体凹部１５４とが水１６２を介して電気的に接続される。
【０１１０】
このように、印加回路５８に印加される高電圧を導電部１６０ａと水１６２と筐体凹部１５４とからなる放電回路１６０を含む点火阻止部１６４により放電させることによって、点火部５６に対する高電圧の印加を阻止できる。
【０１１１】
〔他の実施の形態〕
【０１１２】
(1) 第２の実施の形態における導電部１３４ａの芯線の周囲の被覆を省略し、支持部１３６を導線５４に密着させて導電部１３４ａが露出しないようにしてもよい。
【０１１３】
(2) 筐体４の一部を合成樹脂等で形成し、第２の実施の形態における水収容部１２２の配置を省略し、第２の導電部１３４ｂを合成樹脂部に配置させてもよい。
【０１１４】
(3) 第３の実施の形態において、筐体凹部１５４を合成樹脂等で形成し、挿通部１５６ｂ下部側に位置する筐体凹部１５４に第２の導電部を配置し、該第２の導電部を接地してもよい。
【０１１５】
(4) 燃焼装置がマイコン等の制御装置を備えている場合には、水収容手段を省略し、第１の導電部と第２の導電部とが水を介して接続されたことを検知できる検知手段を設け、該検知手段により第１の導電部と第２の導電部とが水を介して接続されたことを検知することによって浸水を検知して、浸水を検知したことを前記制御装置に記憶させ、前記制御装置が点火操作を行えないように制御してもよい。
【産業上の利用可能性】
【０１１６】
本発明は、風呂釜等の燃焼装置が浸水された場合に、その浸水を検知し、点火阻止によって燃料ガスＧへの着火を防止でき、燃料ガスを燃焼させる燃焼装置の異常着火等を防止し、安全性を高めることができる等、有用である。
【符号の説明】
【０１１７】
２  風呂釜
４、１５２  筐体
２８  点火つまみ
４２  パイロットバーナ
４６  メインバーナ
５０  パイロットノズル
５２  電圧発生部
５４  導線
５６  点火部
５８  印加回路
６８  メインノズル
８０、１４２、１６４  点火阻止部
８１、１３４、１６０  放電回路
８２、１２２  水収容部
８８、１２８  水流入口
９０、１３０、１６２  水
９２、１３２  収容部
９４ａ、１３４ａ  第１の導電部
９４ｂ、１３４ｂ  第２の導電部
９６、１３６  支持部
１００  支持部に形成された溝部
１０２  アース線
１５４  筐体凹部
【図１】
2010169298.tif 000003
【図２】
2010169298.tif 000004
【図３】
2010169298.tif 000005
【図４】
2010169298.tif 000006
【図５】
2010169298.tif 000007
【図６】
2010169298.tif 000008
【図７】
2010169298.tif 000009
【図８】
2010169298.tif 000010
【図９】
2010169298.tif 000011
【図１０】
2010169298.tif 000012
【図１１】
2010169298.tif 000013
【図１２】
2010169298.tif 000014
【図１３】
2010169298.tif 000015
【図１４】
2010169298.tif 000016